(57)【要約】【課題】水位制御装置の情報は、室内電力ユニットを介して、直接に、ユーザーの制御室へ伝送される電力周波数キャリア使用の水位制御装置を提供する。【解決手段】複数の誘導探針とポンプが連接され、各誘導探針に表示ユニットが連接される液位モニタ信号ユニットと、電力入出力モジュールと電力キャリアモジュール、ワンチップ制御モジュール及び信号入出力モジュールが含有され、信号入出力モジュールが液位モニタ信号ユニットに連接される変換ユニットと、変換ユニットの電力入出力モジュールに連接される室内電力ユニットとが含有される。【選択図】図２
0003129502.tif 000002
【実用新案登録請求の範囲】
【請求項１】
複数の誘導探針とポンプが連接され、各誘導探針に表示ユニットが連接される液位モニタ信号ユニットと、
ワンチップ制御モジュールと電力キャリアモジュール、信号入出力モジュール及び電力入出力モジュールが含有され、当該信号出力モジュールが上記の液位モニタ信号ユニットに連接される変換ユニットと、
上記の変換ユニットの電力入力モジュールに連接される室内電力ユニットと、
が含有される、
ことを特徴とする電力周波数キャリア使用の水位制御装置。
【請求項２】
当該液位モニタ信号ユニットと変換ユニットがハウジング内に設置され、当該室内電力ユニットがハウジングから露出し、ハウジングの一端面に表示ユニットを実装するための制御パネルがあることを特徴とする請求項１に記載の電力周波数キャリア使用の水位制御装置。
【請求項３】
当該ワンチップ制御モジュールは、入力受信ユニットと出力制御ユニット、制御ユニット、通信インターフェース及びリレーから構成されることを特徴とする請求項１に記載の電力周波数キャリア使用の水位制御装置。
【請求項４】
当該制御ユニットは８０５１のワンチップであることを特徴とする請求項３に記載の電力周波数キャリア使用の水位制御装置。
【請求項５】
当該制御ユニットの動作周波数は１６ＭＨｚであることを特徴とする請求項３に記載の電力周波数キャリア使用の水位制御装置。
【請求項６】
当該通信インターフェースはＲＳ２３２インターフェースであることを特徴とする請求項３に記載の電力周波数キャリア使用の水位制御装置。
【請求項７】
当該電力キャリアモジュールの伝送速度は１２００ＢＰＳであることを特徴とする請求項１に記載の電力周波数キャリア使用の水位制御装置。
【請求項８】
当該室内電力ユニットは室内電力回路プラグがあることを特徴とする請求項１に記載の電力周波数キャリア使用の水位制御装置。
【考案の詳細な説明】
【技術分野】
【０００１】
本考案は、電力周波数キャリア使用の水位制御装置に関し、特に、水位制御装置の情報が、室内電力ユニットを介して、直接にユーザーの制御室に伝送されるものに関する。
【背景技術】
【０００２】
一般に従来のものは、例えば、中華民国特許公報公告第３５７９０３号の「動力交互運転の液位制御装置」があり、図５と６を参照すると、当該動力交互運転の液位制御装置は、主として、２組の多段液位指示器に合わせてファイン制御回路を利用することにより、二つの動力組の交替運転を制御し、当該ファイン制御回路は、マイクロプロセッサー６とＩ／Ｏユニット６０、２組の電源開閉回路６１、２組の欠相検知回路６２、過負荷と漏電信号変換回路６３、警報回路６４、液位信号変換回路６５及び表示ユニット６６等からなり、当該マイクロプロセッサー６は、Ｉ／Ｏユニット６０とバス及び前記の各回路により信号コネクショウが構成され、また、マイクロプロセッサーは、入力ピンに、ユーザーが機能を設定するためのキーパッドが連接され、当該電源開閉回路６１は二つの動力組を制御するモータ電源であり、当該２組の欠相検知回路６２は入力端がそれぞれモータの三相電源に連接され、出力端がＩ／Ｏユニット６０を介してマイクロプロセッサー６に連接され、当該過負荷と漏電信号変換回路６３は、モータ電源端に設置された過負荷電流漏電遮断器から、負荷と漏電メッセージを取得し、当該液位信号変換回路６５は、各入力端がそれぞれ二つの液位検知器６７の各組の金属探針６８に連接され、出力端がＩ／Ｏユニット６０を介してマイクロプロセッサー６に連接される。組み立てる時、それぞれ、各組の金属探針６８を、二つの液位検知器６７を有する上、下貯水塔７に設置し、各組の金属探針６８により取得した異なる水位高さ検知信号を表示ユニット６６に伝送し、これにより、管理者が、貯水塔７の状態を知ることができる。
【０００３】
従来の「動力交互運転の液位制御装置」により、管理者が貯水塔７の状態を知るが、当該「動力交互運転の液位制御装置」を設置する時、まず、必要とする回線を当該貯水塔７と制御装置に連接し、また、回線により当該制御装置を制御室に連接し、そのため配線作業が複雑になり、回線のメンテナンスも難しくなり、そして、当該「動力交互運転の液位制御装置」によれば、管理者が液位制御装置と貯水塔７の状態を知ることしかできなく、ループバック操作によりモータの運転を制御できない。そのため、従来の「動力交互運転の液位制御装置」は、実用的のものとは言えない。
【特許文献１】中華民国特許公報公告第３５７９０３号
【考案の開示】
【考案が解決しようとする課題】
【０００４】
本考案の主な目的は、液位モニタ信号ユニットと変換ユニットに合わせて室内電力ユニットを利用して、水位制御装置の情報を直接にユーザーの制御室へ伝送する電力周波数キャリア使用の水位制御装置を提供する。
【課題を解決するための手段】
【０００５】
本考案は、上記の目的を達成するため、複数の誘導探針とポンプが連接され、各誘導探針に表示ユニットが連接される液位モニタ信号ユニットと、電力入出力モジュールと電力キャリアモジュール、ワンチップ制御モジュール及び信号入出力モジュールが含有され、当該信号入出力モジュールが液位モニタ信号ユニットに連接される変換ユニットと、変換ユニットの電力入出力モジュールに連接される室内電力ユニットとが、含有される電力周波数キャリア使用の水位制御装置である。
【考案を実施するための最良の形態】
【０００６】
図１と２は、それぞれ、本考案の立体外観概念図と本考案のブロック概念図である。図のように、本考案は電力周波数キャリア使用の水位制御装置であり、当該水位制御装置１は液位モニタ信号ユニット１１と変換ユニット２及び室内電力ユニット３から構成され、当該液位モニタ信号ユニット１１と変換ユニット２はハウジング１２内に設置され、また、当該室内電力ユニット３がハウジング１２から露出して、水位制御装置１の情報は、室内電力ユニット３を介して、直接にユーザーの制御室へ伝送される。
【０００７】
上記の液位モニタ信号ユニット１１は複数の誘導探針１３とポンプ１４が連接され、当該各誘導探針１３は表示ユニット１５が連接され、当該表示ユニット１５はハウジング１２の一端面にある制御パネル１２１上に実装される。
【０００８】
当該変換ユニット２は、ワンチップ制御モジュール２１と、伝送速度が１２００ＢＰＳである電力キャリアモジュール２２と、信号入出力モジュール２３と、電力入出力モジュール２４とが含有され、当該信号入出力モジュール２３に上記の液位モニタ信号ユニット１１が連接され、当該ワンチップ制御モジュール２１は、入力受信ユニット２１１と出力制御ユニット２１２、制御ユニット２１３、通信インターフェース２１４及びリレー２１５から構成され、当該制御ユニット２１３は優れた内部構造を有する８０５１ワンチップを処理ユニットとし、動作周波数が１６ＭＨｚで、４Ｋである消去可能プログラマブルＲＯＭ（Ｅｌｅｃｔｒｏｎｉｃ  Ｐｒｏｇｒａｍ  Ｒｅａｄ  Ｏｎｌｙ  Ｍｅｍｏｒｙ、ＥＰＲＯＭ）があり、また、８組の入力端と８組の出力端を提供し、そして、当該ワンチップ制御モジュール２１の安全作動を確保と制御するため、当該出力端において、それぞれ当該リレー２１５により回路を隔離する。当該８０５１ワンチップの内部に１組の全二重である通信インターフェース２１４が含有され、当該通信インターフェース２１４はＲＳ２３２インターフェースで、同時に外部からのデータを伝送と受信でき、その作動信号が全てＴＴＬレベル（論理０が０Ｖ、論理１が＋５Ｖ）である当該通信インターフェース２１４は、シリアル通信で、一連のビット型式により、データを伝送や受信し、これにより、制御器（例えば、ディジタル式キャリア或いは自動測定器）や設備或いはコンピュータの間にコネクションを容易に確立する。
【０００９】
当該室内電力ユニット３は、一端が上記の変換ユニット２の電力入出力モジュール２４に連接され、また、室内電力回路プラグが含有される。上記の構造により、新規の電力周波数キャリア使用の水位制御装置が構成される。
【００１０】
図３と４は、それぞれ、本考案の使用状態概念図と本考案の使用状態のブロック概念図である。図のように、本考案は、民生用貯水塔や消防用貯水塔、冷却貯水塔或いは工場用貯水塔に適用でき、使用する時、まず、複数の誘導探針１３を貯水塔４の中に設置し、ポンプ１４の出水端４１を貯水塔４の中に設置し、進水端４２が水源に連接され、また、水位制御装置１を適当な位置に設置し、例えば、建物の地下室や分電箱或いは管路スペース等の位置に設置し、そして、当該室内電力ユニット３のプラグを室内電力回路のソケットに挿し込み、この時、操作者が、制御室において、一つの制御機構５を室内電力回路のソケットに挿し込むことだけで、水位制御装置１により貯水塔４の水位情報を取得でき、これにより、水位制御装置１の組み立てが完成される。
【００１１】
使用する時、複数の長さが異なる誘導探針１３により、貯水塔４の水位高さや異常状況及びポンプ１４情報の信号を検知し、また、当該水位高さや異常状況及びポンプ１４情報の信号を液位モニタ信号ユニット１１に伝送して表示ユニット１５により表示され、これにより、管理者が、定期に検知でき、また、同時に、水位高さの情報は、変換ユニット２の信号入出力モジュール２３により当該ワンチップ制御モジュール２１の入力受信ユニット２１１へ出力され、また、入力受信ユニット２１１により信号を受信し、制御ユニット２１３とリレー２１５により、出力制御ユニット２１２へ伝送し、また、出力制御ユニット２１２により電力キャリアモジュール２２へ伝送し、当該電力キャリアモジュール２２により変調されてから電力周波数キャリアに載せて電力入出力モジュール２４へ伝送し、これにより、電力入出力モジュール２４は、水位高さや異常状況及びポンプ１４情報の信号を室内電力ユニット３を介して室内電力線で制御室の制御機構５へ伝送し、そのため、管理者は制御室において制御機構５により、即時に、遠隔の貯水塔４の水位高さや異常状況及びポンプ１４情報を知り、そして、適当な処理を行い、また、貯水塔４の水位が低すぎる時、当該管理者は制御機構５で駆動信号を伝送し、変換ユニット２により受信し、変換ユニット２が受信してから当該駆動信号を液位モニタ信号ユニット１１へ伝送し、これにより、当該液位モニタ信号ユニット１１が各ポンプ１４に駆動するための信号を伝送し、そのため、水が貯水塔４の所定の高さまで注入される。
【００１２】
以上のように、本考案に係わる電力周波数キャリア使用の水位制御装置は、有効に従来の欠点を改善でき、液位モニタ信号ユニットと変換ユニットに合わせて室内電力ユニットを利用することにより、水位制御装置の情報を直接にユーザーの制御室に伝送でき、ユーザーを満足できるより進歩的且つ実用的であるため、法に従って実用新案登録請求を出願する。
【００１３】
以上は、ただ、本考案のより良い実施例であり、本考案は、それによって制限されることなく、本考案に係わる実用新案登録請求や明細書の内容に従って行う等価の変更や修正は、全てが、本考案に係わる実用新案登録請求の範囲内に含まれる。
【図面の簡単な説明】
【００１４】
【図１】本考案の立体外観概念図
【図２】本考案のブロック概念図
【図３】本考案の使用状態概念図
【図４】本考案の使用状態のブロック概念図
【図５】従来の構造概念図
【図６】従来の回路概念図
【符号の説明】
【００１５】
（本考案部分）
１    水位制御装置
１１    液位モニタ信号ユニット
１２    ハウジング
１２１    制御パネル
１３    誘導探針
１４    ポンプ
１５    表示ユニット
２    変換ユニット
２１    ワンチップ制御モジュール
２１１    入力受信ユニット
２１２    出力制御ユニット
２１３    制御ユニット
２１４    通信インターフェース
２１５    リレー
２２    電力キャリアモジュール
２３    信号入出力モジュール
２４    電力入出力モジュール
３    室内電力ユニット
４    貯水塔
４１    出水端
４２    進水端
５    制御機構
（従来部分）
６    マイクロプロセッサー
６０    Ｉ／Ｏユニット
６１    電源開閉回路
６２    欠相検知回路
６３    過負荷と漏電信号変換回路
６４    警報回路
６５    液位信号変換回路
６６    表示ユニット
６７    液位検知器
６８    金属探針
７      上、下貯水塔
【図１】
0003129502.tif 000003
【図２】
0003129502.tif 000004
【図３】
0003129502.tif 000005
【図４】
0003129502.tif 000006
【図５】
0003129502.tif 000007
【図６】
0003129502.tif 000008